(57)【特許請求の範囲】
【請求項１】
被梱包物の荷重を端面で受ける受け材と該受け材を支持する基台とを少なくとも備えた梱包材の前記受け材に取り付けて、前記被梱包物を保護するための保護部材であって、
該保護部材は、前記受け材の側面を囲繞する発泡樹脂材と少なくとも前記受け材の端面を覆う非発泡樹脂材とを少なくとも備え、
前記受け材は支柱であって、前記発泡樹脂材には、前記支柱を挿入するための貫通孔が形成されていることを特徴とする保護部材。
【請求項２】
前記発泡樹脂材は、各受け材を囲繞する発泡樹脂部分が連結するように一体成形されていることを特徴とする請求項１に記載の保護部材。
【請求項３】
前記発泡樹脂材は、前記受け材の端面と同一平面上に端面を有しており、該発泡樹脂材の端面は、前記受け材の端面とともに前記非発泡樹脂材に覆われていることを特徴とする請求項１または２に記載の保護部材。
【請求項４】
前記非発泡樹脂材には、前記受け材の端部と嵌合する嵌合凹部が形成されていることを特徴とする請求項１〜３のいずれかに記載の保護部材。
【請求項５】
前記非発泡樹脂材は、前記発泡樹脂材に嵌合する嵌合部が形成されていることを特徴とする請求項１〜４のいずれかに記載の保護部材。
【請求項６】
請求項１〜５のいずれかに記載の保護部材を前記梱包材に配置してなる梱包材。
【発明の詳細な説明】
【技術分野】
【０００１】
本発明は、被梱包物の荷重を複数の受け材で受ける梱包材から被梱包物を好適に保護することができる保護部材およびこれを用いた梱包材に関する。
【背景技術】
【０００２】
従来から、動力機器や精密機器等の被梱包物（重量物）を梱包する際には、その底部を含む全体形状が複雑であるため、梱包材は、被梱包物の底部を部分的に支持する構造となっている。このような梱包材として、図７に示すような梱包材２０が一般的に利用されており、梱包材２０は、被梱包物Ｗの荷重に対して剛性を確保するため金属製となっている。
【０００３】
梱包材２０は、被梱包物Ｗの荷重を受ける４つの金属支柱（受け材）２１と、金属支柱２１を支持する金属基台２２と、を備えている。金属支柱２１は円柱状であり、各金属支柱２１は、その端面２１ａで被梱包物Ｗの底部Ｗｂを支承することができる位置に、配設されている。また、金属支柱２１の端面２１ａには、被梱包物Ｗの載置時に、ウレタンゴム等の緩衝材を載置することもある。
【０００４】
また、別の態様として、被梱包物としてエンジンを梱包する梱包材が提案されている。この梱包材は、エンジンを支承する金属製の支承装置（受け材）と、該支承装置を支持する金属製のパレット基台とを備えている。支承装置は、板状の支持枠体（支持板）をパレット基台から立設させ、支持枠体の端部となるフランジ部には、エンジンを支承する金属製の支承片が設けられている（例えば特許文献１参照）。
【先行技術文献】
【特許文献】
【０００５】
【特許文献１】実公平６−２７５９１号公報
【発明の概要】
【発明が解決しようとする課題】
【０００６】
しかしながら、上述した梱包材を用いて、梱包又は開梱時に梱包材から被梱包物を出し入れする作業の際、受け材として図７に示す円柱状の金属支柱２１を用い、その端面２１ａに緩衝材を配置したとしても、被梱包物Ｗと金属支柱２１の側面２１ｂとが金属接触し、被梱包物Ｗに傷がつくことがあった。従って、この出し入れ作業を行う場合、作業者は、前記接触を防ぐように、その作業を慎重にせねばならず、作業に時間がかかることがあった。
【０００７】
このような点を鑑みて、受け材の側面と接触するおそれがある被梱包物の部分に、ウレタンゴムなどの緩衝材（被梱包物を保護する部材）を用いて、被梱包物を予備梱包することがある。しかしながら、この場合であっても、動力機器や精密機器等の被梱包物は、上述したように全体形状が複雑であるため、緩衝材（保護部材）による梱包及び開梱の作業は、単純作業とはならず、その作業時間に多大な時間を要することがあった。
【０００８】
本発明は、このような点を鑑みてなされたものであり、その目的とするところは、被梱包物を梱包材から出し入れする際、梱包材に接触することによる被梱包物の外的損傷を防止し、これにより、梱包材から被梱包物を簡単に出し入れすることができる保護部材及びこれを用いた梱包材を提供することにある。
【課題を解決するための手段】
【０００９】
上記課題を解決すべく、本発明に係る保護部材は、被梱包物の荷重を端面で受ける受け材と該受け材を支持する基台とを少なくとも備えた梱包材の前記受け材に取り付けて、前記被梱包物を保護するための保護部材であって、該保護部材は、前記受け材の側面を囲繞する発泡樹脂材と、少なくとも前記端面を覆う非発泡樹脂材と、を少なくとも備えることを特徴とする。
【００１０】
本発明によれば、受け材に保護部材を取り付けたときに、受け材の側面の周りには、発泡樹脂材が配置され、受け材の端面には非発泡樹脂材が配置される。これにより、梱包材から被梱包物を出し入れした場合、被梱包物は受け材に直接接触することなく、発泡樹脂材または非発泡樹脂材に接触するので被梱包物の外的損傷を回避することができる。この結果、被梱包物の出し入れの作業性がこれまでのものに比べて向上する。
【００１１】
また、発泡樹脂材を用いることにより保護部材の軽量化が図れるばかりでなく、被梱包物と接触頻度の高い受け材の端面には、非発泡樹脂材が配置されるので、被梱包物が接触したとしても、この部分は削り取られ難い。
【００１２】
ここで、本発明にいう「複数の受け材と基台とを備えた梱包材」とは、既存の梱包体ばかりでなく、この保護部材を取り付けるために新たに製造された被梱包物を支持する支持体をも含む概念である。したがって、複数の受け材と基台とからなる既存の梱包材を利用した場合、これに保護部材を取り付けることができるので、安価に被梱包物を保護することができる。また、複数の受け材と基台とを備えた支持体を新たに製造した場合、後述するように、発泡樹脂材の端部にも被梱包物の荷重を分散させて、これを発泡樹脂部材に担わせるようにすることもできる。これにより、受け材の支持断面を従来の受け材のものよりも小さくし、梱包材のさらなる軽量化を図ることができる。
【００１３】
そして、このような梱包材は、被梱包物の荷重を支持する強度が必要であることから、例えば、金属やカーボン等の、保護部材の発泡樹脂及び非発泡樹脂よりも硬質かつ高強度の材料からなる。また受け材は、従来から用いられる支柱（例えば図７参照）、特許文献１に示す支持板など、被梱包物の荷重を安定して受ける（支承）ことができるものであれば、その形状及び構造は特に限定されるものではない。従って、本発明に係る発泡樹脂材は、被梱包物と接触する受け材の側面を囲繞すればよく、例えば、可撓性の発泡樹脂シートを受け材に巻き付けたり、複数の発泡樹脂を受け材の周りを接着したりしてもよい。
【００１４】
しかしながら、前記受け材が支柱である場合には、発泡樹脂材には、該支柱を挿入するための貫通孔が形成されていることがより好ましい。本発明によれば、発泡樹脂材の貫通孔を介して、支柱の端部から発泡樹脂材を容易に挿入することができる。これにより、支柱（受け材）への保護部材の取り付け作業を容易に行うことができる。
【００１５】
また、発泡樹脂材は、各受け材に配置できるよう個別に構成してもよいが、より好ましくは、各受け材を囲繞する発泡樹脂部分が連結するように一体成形されている。本発明によれば、このように一体成形されるので、各受け材の側面に対して同時に発泡樹脂材を囲繞することができ、さらなる作業性の向上を図ることができる。
【００１６】
また、発泡樹脂材は、前記受け材の端面と同一平面上に端面を有しており、該発泡樹脂材の端面は、前記受け材の端面とともに前記非発泡樹脂材に覆われていることがより好ましい。
【００１７】
本発明によれば、非発泡樹脂材が、発泡樹脂材の端面も覆うので、被梱包物の荷重の一部を、非発泡樹脂材を介して発泡樹脂材に分散させることができる。さらに、被梱包物の出し入れ時に、仮に非発泡樹脂材が梱包材から脱落した場合であっても、受け材の端面のエッジ近傍には、発泡樹脂材が配置されているので、受け材のエッジと被梱包物との直接接触を回避することができる。
【００１８】
また、非発泡樹脂材は、受け材の端面を覆うことができれば、接着剤等により受け材の端面に固着してもよいが、より好ましくは、前記非発泡樹脂材には、受け材の端面を含む端部と嵌合する嵌合凹部が形成されている。本発明によれば、受け材の端部を、非発泡樹脂材の嵌合凹部に挿入して、非発泡樹脂材を受け材に嵌合し固定することができる。
【００１９】
前記非発泡樹脂材と発泡樹脂材とは、前述した位置に配置することができるのであれば、これらは離間して配置されていてもよい。しかしながら、より好ましくは、前記非発泡樹脂材は、前記発泡樹脂材に嵌合する嵌合部が形成されている。これにより、非発泡樹脂材を発泡樹脂材に嵌合させた状態の保護部材を、上述した梱包材に配置することができるので、梱包材の製造時の作業性が向上する。さらに、梱包材から被梱包物を出し入れする際に、非発泡樹脂材の位置ずれ、脱落をも防止することができる。
【００２０】
なお、発泡樹脂材及び非発泡樹脂材を構成する樹脂は、ポリスチレン系樹脂、ポリオレフィン系樹脂の合成樹脂や、ウレタン、ＮＢＲ等の合成ゴムなどを挙げることができ、発泡樹脂材に用いる樹脂は、被梱包物の（衝撃荷重も含む）荷重の緩衝材として作用し、発泡樹脂材に用いる樹脂は、発泡剤を用いて所望の発泡倍率に発泡させることができるものであれば、これらの樹脂は特に限定されるものではない。
【発明の効果】
【００２１】
本発明によれば、被梱包物を梱包材から出し入れする際に被梱包物を保護することができ、これにより、梱包材から被梱包物を容易に出し入れすることができる。
【図面の簡単な説明】
【００２２】
【図１】本発明の第１実施形態に係る保護部材及びこれを用いた梱包材を説明するための図であり、（ａ）は、保護部材及び梱包材の模式的斜視図であり、（ｂ）は、（ａ）のＡ−Ａ矢視断面図。
【図２】図１に示す梱包材への被梱包物の梱包を説明するための模式的斜視図。
【図３】本発明の第１実施形態に係る保護部材及びこれを用いた梱包材を説明するための図であり、（ａ）は、保護部材及び梱包材の模式的斜視図であり、（ｂ）は、梱包材への被梱包物の梱包を説明するための模式的斜視図。
【図４】第１及び第２実施形態に係る保護部材の変形例であり、（ａ）は、金属支柱の端部近傍の模式的斜視図であり、（ｂ）は、（ａ）のＢ−Ｂ矢視断面図。
【図５】第１及び第２実施形態に係る保護部材の別の変形例であり、（ａ）は、金属支柱の端部近傍の模式的斜視図であり、（ｂ）は、（ａ）のＣ−Ｃ矢視断面図。
【図６】図５に示す保護部材のさらなる変形例であり、（ａ）は、金属支柱の端部近傍の模式的斜視図であり、（ｂ）は、（ａ）のＤ−Ｄ矢視断面図。
【図７】従来の被梱包物の梱包材の模式的斜視図。
【発明を実施するための形態】
【００２３】
以下に、図面に基づき、本発明に係る２つの実施形態を説明する。図１は、本発明の第１実施形態に係る保護部材及びこれを用いた梱包材を説明するための図であり、（ａ）は、保護部材及び梱包材の模式的斜視図であり、（ｂ）は、（ａ）のＡ−Ａ矢視断面図である。図２は、図１に示す梱包材への被梱包物の梱包を説明するための模式的斜視図である。
【００２４】
図１に示すように、本発明に係る保護部材１０Ａは、被梱包物Wを支持する金属製（例えば鉄製）の梱包材（支持体）２０に取り付けて梱包材１Ａとするものである。支持体２０は、４本の金属支柱（受け材）２１と、金属支柱２１を支持する金属基台２２とを少なくとも備えており、エンジンなどの重量物である被梱包物Ｗを支持するものである。
【００２５】
金属基台２２は、４つの角材を連結したフレーム部２５と、フレーム部２５の内部において、角材を張り渡したサポート部２６とを備えている。各金属支柱２１は、円柱状の支柱であり、被梱包物Ｗの荷重を受ける位置に各端面２１ａが位置するように、サポート部２６から立設して、これに固定されている。なお、ここでは、支持体２０を金属製としたが、被梱包物Wの耐荷重性を満たすものであればカーボンなどの非金属などであってもよい。
【００２６】
保護部材１０Ａは、支持体２０の金属支柱２１に取り付けて、被梱包物Wを保護するためのものであり、各金属支柱２１の側面２１ｂを個別に囲繞する四角柱状の発泡樹脂材１１Ａを有している。ここでは、発泡樹脂材１１Ａは四角柱状であるが、円柱状であってもよい。この場合、円柱には角部がないので被梱包物と接触しても削れが生じ難い。
【００２７】
また、発泡樹脂材１１Ａは、ポリオレフィン系樹脂を発泡させたものであり、発泡倍率は、２０倍程度である。この種の樹脂は、リサイクル性に長けて経済的であり、さらには他の樹脂に比べて、発泡時の緩衝性に優れかつ軽量である。
【００２８】
各発泡樹脂材１１Ａには、金属支柱２１を挿入するための貫通孔１１ａが形成されている。貫通孔１１ａを設けることにより、これを介して金属支柱２１の端部から発泡樹脂材を容易に挿入することができる（図１（ａ）参照）。
【００２９】
また、発泡樹脂材１１Ａの金属基台２２側（基端側）の一端部には、サポート部２６に係止する係止溝１１ｂが形成されている。この係止溝１１ｂにより、発泡樹脂材１１Ａの位置決めをすることができると共に、被梱包物Ｗの載置時に、発泡樹脂材１１Ａが円柱状の金属支柱２１の軸芯周りを回転することを防止できる。
【００３０】
一方、発泡樹脂材１１Ａの他端部の端面１１ｃは、金属支柱２１の端面２１ａと同一平面上に形成されている。さらに、発泡樹脂材１１Ａの端面１１ｃと、金属支柱２１の端面２１ａとを共に覆うように、ウレタンからなるプレート状の非発泡樹脂材１２Ａが接着剤等を介して、少なくとも端面１１ｃに固着されている。
【００３１】
なお、支持体２０に保護部材１０Ａを設置する際には、まず、発泡樹脂材１１Ａを設置後、非発泡樹脂材１２Ａを接着してもよく、予め発泡樹脂材１１Ａに非発泡樹脂材１２Ａを接着後、これらを支持体２０に設置してもよい。
【００３２】
上述した保護部材１０Ａを支持体２０に配置した梱包材１Ａを用いて、エンジンなどの被梱包物Ｗを梱包・開梱する（図２参照）。具体的には、梱包時には、梱包材１Ａの上方からクレーン等を用いて、各非発泡樹脂材１２Ａの表面１２ａに被梱包物Ｗの荷重が支承されるように、被梱包物Ｗを梱包材１Ａに載置する（梱包材１Ａに被梱包物Ｗを入れる）。載置後の被梱包物Ｗを、ゴムバンド、専用の金属固定具などを用いて梱包材２０に固定する（図示せず）。また、開梱時には、梱包時の逆の手順を行う。
【００３３】
そして、上述した作業のうち、梱包材１Ａから被梱包物Ｗを出し入れする作業において、被梱包物Ｗは、金属支柱２１に直接接触することなく、発泡樹脂材１１Ａまたは非発泡樹脂材１２Ａを介して接触するので、被梱包物Ｗの外面に傷が付くことはない。
【００３４】
また、保護部材１０Ａの一部に、発泡樹脂材１１Ａを用いることにより保護部材１０Ａの軽量化が図れるばかりでなく、被梱包物Ｗと接触頻度の高い保護部材１０Ａの支承面には、非発泡樹脂材１２Ａが配置されるので、被梱包物Ｗが接触したとしても、この部分は削り取られ難い。
【００３５】
さらに、非発泡樹脂材１２Ａが、発泡樹脂材１１Ａの端面も覆うので、非発泡樹脂材１２Ａを介して被梱包物Ｗの荷重の一部を、発泡樹脂材１１Ａに分散させることができる。これにより、被梱包物Ｗの荷重を支持する円柱状の金属支柱２１の径（断面積）をさらに小さくすることもでき、梱包材１Ａの軽量化を図ることもできる。
【００３６】
また、被梱包物Ｗの出し入れ時に、仮に非発泡樹脂材１２Ａが梱包材１Ａから脱落した場合であっても、金属支柱２１の端面２１ａのエッジ近傍には、発泡樹脂材１１Ａが配置されているので、金属支柱２１のエッジと被梱包物Ｗとの直接接触を回避することができる。
【００３７】
図３は、本発明の第１実施形態に係る保護部材及びこれを用いた梱包材を説明するための図であり、（ａ）は、保護部材及び梱包材の模式的斜視図であり、（ｂ）は、梱包材への被梱包物の梱包を説明するための模式的斜視図である。
【００３８】
第２実施形態が、第１実施形態と相違する点は、保護部材のうち発泡樹脂材の構造である。従って、第１実施形態と同じ機能を有する部分及び部材に関しては、第１実施形態の符号と同一の符号を付し、その詳細な説明は省略する。
【００３９】
図３に示すように、本実施形態に係る梱包材１Ｂの発泡樹脂材１１Ｂは、各金属支柱２１を囲繞する発泡樹脂部分１１ｈが、連結部１１ｄにより連結するように一体成形されている。具体的には、この連結部１１ｄは、２つのサポート部２６の間、及び、サポート部２６に沿って配置されている。また、発泡樹脂材１１Ｂのサポート部２６と接触する底面には、サポート部２６に係止する係止溝１１ｅが形成されている。
【００４０】
このように構成された保護部材１０Ｂは、発泡樹脂材１１Ｂを一体成形することにより、発泡樹脂材１１Ｂを安定して配置することができると共に、各金属支柱を同時に囲繞することができ、さらなる作業性の向上を図ることができる。また、保護部材１０Ｂは、非発泡樹脂材１２Ａの表面（支持面）１２ａを介して分散された被梱包物Ｗの荷重を、第一実施形態の係止溝１１ｂよりも広い係止溝１１ｅの底面で受けることができる。
【００４１】
さらに、第１及び第２実施形態では、平板状の非発泡樹脂材１２Ａを用いたが、別の態様としては、図４（ａ），（ｂ）に示すように、非発泡樹脂材１２Ｃは、発泡樹脂材１１Ｃの端部側面１１ｆに嵌合するように、鍔部（嵌合部）１２ｂを有したキャップ形状であってもよい。これにより、発泡樹脂材１１Ｃに非発泡樹脂材１２Ｃを嵌合させ、その脱落を防止することができる。
【００４２】
また、別の態様としては、図５（ａ），（ｂ）に示すように、非発泡樹脂材１２Ｄは、厚さ方向に、発泡樹脂材１１Ｄと内部で嵌合する嵌合凸部（嵌合部）１２ｄを設け、さらにその中央に金属支柱２１の端部に嵌合する嵌合凹部１２ｆが設けられていてもよい。これにより、発泡樹脂材１１Ｄと金属支柱２１の双方に、非発泡樹脂材１２Ｄを嵌合させ、その脱落をより確実に防止することができる。
【００４３】
また、図５に示す保護部材のさらなる変形例として、図６（ａ），（ｂ）に示すように、非発泡樹脂材１２Ｅの側面１２ｅに、発泡樹脂材と係止するための切り欠き部１２ｇを形成し、非発泡樹脂材１２Ｅに側面全体を覆うように、発泡樹脂材１１Ｅの端面に凹部１１ｇを形成してもよい。これにより、金属支柱２１の軸芯周りの非発泡樹脂材１２Ｅの回転による位置ずれを防止することができる。
【００４４】
以上、本発明の２つの実施形態について詳述したが、本発明は、前記の実施形態に限定されるものではなく、特許請求の範囲に記載された本発明の精神を逸脱しない範囲で、種々の設計変更を行うことができるものである。例えば、第１及び２実施形態では、１つの被梱包物に対して支持する支持体を例示したが、支持体は複数の被梱包物を支持する支持パレットであってもよく、この支持パレットの各支柱を囲繞する発泡樹脂部分が連結されるように一体成形されていてもよい。
【産業上の利用可能性】
【００４５】
本発明に係る保護部材及びこれを用いた梱包材は、自動車用エンジンや小型農耕用エンジン、トランスミッションあるいはその構成部品、ディファレンシャルあるいはその構成部品、回転電機などの重量物の梱包に好適に用いることができる。
【符号の説明】
【００４６】
１Ａ，１Ｂ：梱包材、１０Ａ，１０Ｂ：保護部材、１１Ａ〜１１Ｅ：発泡樹脂材、１２Ａ〜Ｅ：非発泡樹脂材、２０：梱包材（支持体）、２１：金属支柱、２２：金属基台、２１ａ：端面
【図１】
0005437127.tif 000002
【図２】
0005437127.tif 000003
【図３】
0005437127.tif 000004
【図４】
0005437127.tif 000005
【図５】
0005437127.tif 000006
【図６】
0005437127.tif 000007
【図７】
0005437127.tif 000008